(57)【要約】【課題】係止片の反転を防止しつつ、環状突起に対する係止片の係止代を広げ、ひいては開栓の際に確実に環状弱化部を破断させることのできる合成樹脂製キャップ及び容器を提供すること。【解決手段】容器口部Ｍの外周に形成された雄ねじＭ１に螺合する雌ねじ５が設けられたスカート壁３と、スカート壁３の下部に環状弱化部１０を介して連結されたタンパーエビデンスバンド９とを具備したキャップ１であって、タンパーエビデンスバンド９の内周側に、容器口部Ｍの外周に設けられた環状突起Ｍ２に下方から係止可能な係止片１１が周方向に間隔をおいて複数設けられ、少なくとも一部の前記係止片１１は、該係止片１１の先端から突出する突出部１２を有し、該突出部１２には、前記環状突起Ｍ２への接触を避けるための肉盗み部分１４が設けられている。【選択図】図１
2019069794.tif 000002
【特許請求の範囲】
【請求項１】
容器口部の外周に形成された雄ねじに螺合する雌ねじが設けられたスカート壁と、該スカート壁の下部に環状弱化部を介して連結されたタンパーエビデンスバンドとを具備したキャップであって、
前記タンパーエビデンスバンドの内周側に、前記容器口部の外周に設けられた環状突起に下方から係止可能な係止片が周方向に間隔をおいて複数設けられ、
少なくとも一部の前記係止片は、該係止片の先端から突出する突出部を有し、該突出部には、前記環状突起への接触を避けるための肉盗み部分が設けられていることを特徴とする合成樹脂製キャップ。
【請求項２】
前記肉盗み部分は、前記突出部の基端部中央に設けられている凹部又は開口である請求項１に記載の合成樹脂製キャップ。
【請求項３】
請求項１又は２に記載の合成樹脂製キャップが口部に装着された容器。
【発明の詳細な説明】
【技術分野】
【０００１】
本発明は、例えば、飲料物等の内容物を収容する容器の口部に装着される合成樹脂製キャップ及びこれを備えた容器に関する。
【背景技術】
【０００２】
飲料物等の内容物を収容する容器の口部に装着されるキャップとして、一目で開封の有無を確認可能に構成されたものが広く用いられている。斯かる従来のキャップの一例を図４（Ａ）及び（Ｂ）に示す（特許文献１参照）。このキャップは、容器口部Ｍの雄ねじ５２に螺合する雌ねじ５３が設けられたスカート壁５４を有するキャップ本体５５と、スカート壁５４の下部に環状弱化部５６を介して連結されたタンパーエビデンスバンド５７とを具備する。タンパーエビデンスバンド５７の内周側には、容器口部Ｍの外周に設けられた環状突起５８に下方から係止可能な係止片５９が周方向に間隔をおいて複数設けられ、各係止片５９の先端には、容器口部Ｍにキャップが装着されたときに、環状突起５８の外周側に位置する突出部６０が設けられている。
【０００３】
仮に上記キャップに突出部６０が設けられていないとすると、開栓の際に、上向きの係止片５９が環状突起５８に係止したときにその反力で下向きに反転する恐れがあり、このような反転が生じると、環状突起５８に対する係止片５９の係止が解除され、環状弱化部５６が破断することなく開栓が完了し、環状弱化部５６の破断の有無に基づいて開封の有無を判断することができなくなる。すなわち、係止片５９の反転が問題となる。
【０００４】
この点、図４（Ａ）及び（Ｂ）に示す上記キャップにおいて、開栓の際に係止片５９が反転することは、突出部６０が環状突起５８に当接することにより防止される。
【先行技術文献】
【特許文献】
【０００５】
【特許文献１】特許第３３１８７５２号公報
【発明の概要】
【発明が解決しようとする課題】
【０００６】
しかし、上記キャップにおいて、突出部６０は上述のように係止片５９の反転を防止するが、この突出部６０を設けることにより、環状突起５８に対する係止片５９の係止代（係止する面積）が狭まることにもなる。そして、この係止代の不足に起因して、開栓の際に、係止片５９が環状突起５８を乗り越えると、環状弱化部５６が破断せずに開栓が完了することになる。
【０００７】
本発明は上述の事柄に留意してなされたもので、その目的は、係止片の反転を防止しつつ、環状突起に対する係止片の係止代を広げ、ひいては開栓の際に確実に環状弱化部を破断させることのできる合成樹脂製キャップ及び容器を提供することにある。
【課題を解決するための手段】
【０００８】
上記目的を達成するために、本発明に係る合成樹脂製キャップは、容器口部の外周に形成された雄ねじに螺合する雌ねじが設けられたスカート壁と、該スカート壁の下部に環状弱化部を介して連結されたタンパーエビデンスバンドとを具備したキャップであって、前記タンパーエビデンスバンドの内周側に、前記容器口部の外周に設けられた環状突起に下方から係止可能な係止片が周方向に間隔をおいて複数設けられ、少なくとも一部の前記係止片は、該係止片の先端から突出する突出部を有し、該突出部には、前記環状突起への接触を避けるための肉盗み部分が設けられている（請求項１）。
【０００９】
上記合成樹脂製キャップにおいて、前記肉盗み部分は、前記突出部の基端部中央に設けられている凹部又は開口であってもよい（請求項２）。
【００１０】
一方、上記目的を達成するために、本発明に係る容器は、請求項１又は２に記載の合成樹脂製キャップが口部に装着されている（請求項３）。
【発明の効果】
【００１１】
本願発明では、係止片の反転を防止しつつ、環状突起に対する係止片の係止代を広げ、ひいては開栓の際に確実に環状弱化部を破断させることのできる合成樹脂製キャップ及び容器が得られる。
【００１２】
すなわち、本願の各請求項に係る発明の合成樹脂製キャップでは、突出部に肉盗み部分を設けることにより、環状突起は肉盗み部分内に進入可能となるので、肉盗み部分付近では、環状突起に対する係止片の係止代（係止する面積）を広げることができ、キャップを容器口部に装着した状態において、開栓の際に、係止片が環状突起を乗り越えることが防止され、ひいては環状弱化部が破断せずに開栓が完了することを確実に防止することができる。
【００１３】
請求項２に係る発明の合成樹脂製キャップは、肉盗み部分を突出部の基端部中央に設けることにより、上記のように係合代の拡大を図ることができる上、突出部の強度低下に伴うその倒れ込みを防止することも容易となる。
【図面の簡単な説明】
【００１４】
【図１】本発明の一実施の形態に係る合成樹脂製キャップの構成を概略的に示す斜視図である。
【図２】前記合成樹脂製キャップが口部に装着された本発明の一実施の形態に係る容器の構成を概略的に示す縦断面図である。
【図３】（Ａ）は前記合成樹脂製キャップのタンパーエビデンスバンドの構成を概略的に示す底面図、（Ｂ）は（Ａ）のＢ−Ｂ線切断断面図、（Ｃ）は（Ａ）のＣ−Ｃ線切断断面図である。
【図４】（Ａ）及び（Ｂ）は、従来の合成樹脂製キャップの構成を概略的に示す説明図及び要部拡大縦断面図である。
【発明を実施するための形態】
【００１５】
本発明の実施の形態について図面を参照しながら以下に説明する。
【００１６】
図１〜図３に示す合成樹脂製キャップ（以下、キャップという）１は、例えばペットボトル等の容器の口部Ｍ（図２参照）に装着されて使用されるものであり、コンプレッション成形又はインジェクション成形によって、ポリエチレンで一体的に成形されている。なお、キャップ１を形成する素材は、特に限定されるものではなく、本実施形態で用いたポリエチレンの他、ポリプロピレン等が好適に用いられる。
【００１７】
また、図１、図２に示すように、キャップ１は、平面視において略円形状の天壁２と、この天壁２の外周部から下向きに延びる略円筒状のスカート壁３を有している。ここで、スカート壁３の外周面にはローレット溝４を、内周面には雌ねじ５を設けてあり、この雌ねじ５は容器口部の外周に形成された雄ねじＭ１に結合可能である。
【００１８】
そして、容器口部Ｍの雄ねじＭ１にスカート壁３の雌ねじ５が結合するようにキャップ１を回転させて容器口部Ｍに装着すると、天壁２の内面（下面）に連設された環状の中足（インナーリング）６、環状リブ７及び環状の外足（アウターリング）８が容器口部Ｍに密着し、これにより、容器口部Ｍが密封された状態となる（図２参照）。すなわち、キャップ１が容器口部Ｍに装着された状態では、中足６は容器口部Ｍ内に差し込まれて容器口部Ｍの内周面に密着し、環状リブ７は容器口部Ｍの環状の上端面に密着し、外足８は容器口部Ｍの外周面に密着するように構成されている。なお、図２では、中足６の元の形状を分かり易く示すために、中足６と容器口部Ｍとを重ねてあるが、実際の装着状態では、中足６は外径が小さくなるように変形して（縮径して）容器口部Ｍの内周面に接触することになる。
【００１９】
また、キャップ１は、未開封（開栓が一度もされていないこと）を証明する機能を有するピルファープルーフキャップであり、容器口部Ｍに装着された未開封のキャップ１の開封時（最初の開栓時）に、雄ねじＭ１と雌ねじ５の結合が解除されるようにキャップ１を回転させると、キャップ１は容器口部Ｍから離脱するが、スカート壁３の下部に連結されたタンパーエビデンスバンド（以下、単に「バンド」という）９は容器口部Ｍに残留するように構成されている。
【００２０】
すなわち、スカート壁３の下部には、スカート壁３の全周にわたって延びる環状弱化部１０を介してバンド９を連結してあり（図１，図２参照）、環状弱化部１０は、スカート壁３とバンド９とを上下に画するように、スカート壁３及びバンド９の周方向に断続して延びる（ミシン目状の）スリットと、隣り合うスリットの間に存在するブリッジとで構成され、ブリッジは所定の力で引っ張られると破断する。
【００２１】
また、バンド９の内周側には、内向きに突出する係止片（フラップ）１１を、周方向に間隔をおいて（本例では等間隔に）複数（本例では８個）設けてある（図１〜図３参照）。各係止片１１は、キャップ１が容器口部Ｍに装着された状態で、容器口部Ｍの外周において雄ねじＭ１よりも下方に形成された環状突起（ビード部）Ｍ２の略下側へ位置し、開栓操作によって環状突起Ｍ２に係止する（図２参照）。すなわち、係止片１１は、環状突起Ｍ２に下方から係止可能に構成され、開封の際に、環状弱化部１０より上方にあるスカート壁３及び天壁２は容器口部Ｍから離脱し、環状弱化部１０より下方にあるバンド９は容器口部Ｍに残留し、これに伴って環状弱化部１０は破断する。
【００２２】
ここで、バンド９はスカート壁３及び天壁２と一体成形され、バンド９に設けられる係止片１１は、キャップ１の成形時には下向きに突出しているが、容器口部Ｍへのキャップ１の装着の際に、環状突起Ｍ２に押し上げられて反転し、図１及び図２に示すように上向きに突出する状態となる。そして、この状態における係止片１１の内周面（容器口部Ｍに対向する面）の横断面形状の曲率は、対応する容器口部Ｍの外周面の横断面形状の曲率よりも小さくなっている。
【００２３】
ところで、仮に、開封時に、上向きに突出している係止片１１が大きく倒れてしまうと、環状突起Ｍ２に押圧された係止片１１が再反転して下向きに突出する状態になり易く、係止片１１が環状突起Ｍ２に良好に係止しなくなる。そこで、本実施形態では、図１及び図３（Ａ）〜（Ｃ）に示すように、少なくとも一部の係止片１１の先端に、その先方に突出する突出部１２を設けると共に、隣り合う係止片１１の先端部どうしを連結部１３によって連結し、全ての係止片１１を環状に繋げてある。
【００２４】
このように構成した本実施形態では、上向きに突出している係止片１１が大きく倒れてしまうこと（倒れ込むこと）は、容器口部Ｍ（環状突起Ｍ２）の外周面に対する突出部１２の当接によって防止され（図２参照）、これにより、環状突起Ｍ２に対する係止片１１の係止が良好に行われることとなる。すなわち、突出部１２は、容器口部Ｍにキャップ１が装着された状態において、環状突起Ｍ２の外周側に位置する。
【００２５】
そして、本実施形態では、図３（Ａ）及び（Ｂ）に示すように、突出部１２に、環状突起Ｍ２への接触を避けるための肉盗み部分１４を設けてある。図示例の肉盗み部分１４は、突出部１２の基端部中央に設けられている凹部である。そして、環状突起Ｍ２はこの肉盗み部分１４内に進入可能となるので（環状突起Ｍ２の挙動は肉盗み部分１４によって阻害されないので）、肉盗み部分１４付近では、環状突起Ｍ２に対する係止片１１の係止代（係止する面積）を広げることができ、キャップ１を容器口部Ｍに装着した状態において、開栓の際に、係止片１１が環状突起Ｍ２を乗り越えることが防止され、ひいては環状弱化部１０が破断せずに開栓が完了することを確実に防止することができる。
【００２６】
また、肉盗み部分１４を突出部１２の基端部中央に設けることにより、突出部１２の強度低下に伴うその倒れ込みを防止することも容易となる。
【００２７】
なお、本発明は、上記の実施の形態に何ら限定されず、本発明の要旨を逸脱しない範囲において種々に変形して実施し得ることは勿論である。例えば、以下のような変形例を挙げることができる。
【００２８】
図３の例では、係止片１１を８個としているが、これに限らない。例えば、係止片１１の個数は３個以上２０個以下とすることが考えられる。
【００２９】
突出部１２は、必ずしも全ての係止片１１に設ける必要はなく、一部の係止片１１のみに設けるようにしてもよい。また、突出部１２を係止片１１に設ける場合、一つの係止片１１に対して一つのみ設けるのが好ましいが、複数設けるようにしてもよい。
【００３０】
肉盗み部分１４は、凹部に限らず、開口（突出部１２を貫く貫通孔）としてもよい。また、肉盗み部分１４を設ける位置も、突出部１２の基端部中央に限らず、例えば突出部１２の基端部中央から先端部の中央付近にまで延ばしてあってもよい。さらに、肉盗み部分１４の形状も種々に変更可能である。
【００３１】
なお、上記変形例どうしを適宜組み合わせてもよいことはいうまでもない。
【符号の説明】
【００３２】
１    キャップ
２    天壁
３    スカート壁
４    ローレット溝
５    雌ねじ
６    中足
７    環状リブ
８    外足
９    タンパーエビデンスバンド
１０    環状弱化部
１１    係止片
１２    突出部
１３    連結部
１４    肉盗み部分
５２    雄ねじ
５３    雌ねじ
５４    スカート壁
５５    キャップ本体
５６    環状弱化部
５７    タンパーエビデンスバンド
５８    環状突起
５９    係止片
６０    突出部
Ｍ    容器口部
Ｍ１  雄ねじ
Ｍ２  環状突起
【図１】
2019069794.tif 000003
【図２】
2019069794.tif 000004
【図３】
2019069794.tif 000005
【図４】
2019069794.tif 000006